(57)【特許請求の範囲】
【請求項１】
便器上に設置される本体と、
前記本体に回動自在に枢支された便座と、
前記便座に内蔵され、前記便座を加熱する便座ヒータと、
前記便座の温度を検知する第一温度検知素子と、
前記便座ヒータの通電を制御する主制御部と、
前記主制御部とは別回路で構成され、前記便座の過昇を防止する第一過昇防止制御部と、を含み、
前記主制御部と前記第一過昇防止制御部は、前記第一温度検知素子を共用し、
前記主制御部は、前記第一温度検知素子の検知信号に基づき前記便座を所定温度に制し、
前記第一過昇防止制御部は、前記第一温度検知素子の検知信号に基づき過昇防止の制御を行うことを特徴とする、
便座装置。
【請求項２】
前記第一温度検知素子は、前記便座ヒータの着座暖房範囲に設置されている、
請求項１に記載の便座装置。
【請求項３】
前記便座は、第二温度検知素子と、第二過昇防止制御部と、をさらに備え、
前記第二温度検知素子は前記第二過昇防止制御部が専用で使用する構成の、
請求項１または２に記載の便座装置。
【請求項４】
前記第一温度検知素子と前記第二温度検知素子は、前記便座ヒータの略左右対称の着座暖房範囲に設置された、
請求項３に記載の便座装置。
【発明の詳細な説明】
【技術分野】
【０００１】
本発明は、便座装置の便座の過昇を防止する安全装置に関するものである。
【背景技術】
【０００２】
従来、この種の便座装置における便座の基本構成としては、着座面の裏面にアルミ箔に線状発熱体を蛇行形状に配設した発熱体ユニットと、着座面の温度検知素子としてのサーミスタと、便座の過昇を防止する安全装置としてのサーモスタットが配設されている。
【０００３】
発熱体ユニットの具体的な構成としては、着座した使用者の身体が主に接触する暖房領域には通常のピッチで線状ヒータを蛇行させて配設し、暖房領域には温度制御に使用する温度検知素子であるサーミスタが設置されている。
【０００４】
一方、便座の後方の外側部近傍には線状発熱体を暖房領域より高密度に配設した密領域部を形成し、密領域部には安全装置として復帰型のサーモスタットが設置されている。密領域部にサーモスタットを設置することにより、サーモスタットの温度応答速度を早くさせることにより、異常時に着座面の温度が過昇して危険な状態になる前に線状発熱体の通電回路を遮断することにより安全性を確保する構成としている（例えば、特許文献１参照）。
【０００５】
図１２は、特許文献１に記載された従来の便座装置の発熱体ユニットの平面図を示すものである。図１２に示すように、発熱体ユニット１は、便座の着座面と略相似形の２枚のアルミ箔２の間に線状発熱体３が蛇行形状に配設されており、発熱体ユニット１の両側部を中心とする広い範囲は線状発熱体３が通常ピッチで配設された暖房領域４が形成されており、暖房領域４の後方の外側部には線状発熱体３を高密度で配設された密領域部５が形成されている。
【先行技術文献】
【特許文献】
【０００６】
【特許文献１】特許第４７７５２７５号公報
【発明の概要】
【発明が解決しようとする課題】
【０００７】
しかしながら、前記従来の便座装置は、便座の過昇防止手段の温度検知素子としてサーモスタットを使用するために発熱体ユニットに密領域部を形成することが必須の構成要素となっている。このような構成の場合、通常の使用状態において、密領域部の温度は他の暖房領域より表面温度が高くなり、使用中に使用者の身体が接触した場合には不快を感じることがある。また、密領域部で検知される温度は実際の便座表面の温度とは異なり、線状発熱体の表面温度に近いものであるため、便座の表面温度の過昇を防止するための構成としては充分に満足できるものではなく、安全装置の精度の観点からは未だ改善の余地があった。
【０００８】
本発明は、前記従来の課題を解決するもので、温度検知素子として応答速度の速いサーミスタを使用することにより、過昇防止手段の応答速度と温度検知精度の向上を図ることを目的とする。
【課題を解決するための手段】
【０００９】
前記従来の課題を解決するために、本発明の便座装置は、便器上に設置される本体と、本体に回動自在に枢支された便座と、便座に内蔵され、便座を加熱する便座ヒータと、便座の温度を検知する第一温度検知素子と、便座ヒータの通電を制御する主制御部と、主制御部とは別回路で構成され、便座の過昇を防止する第一過昇防止制御部と、を含み、主制御部と第一過昇防止制御部は、第一温度検知素子を共用し、主制御部は、第一温度検知素子の検知信号に基づき便座を所定温度に制御し、第一過昇防止制御部は、第一温度検知素子の検知信号に基づき過昇防止の制御を行うことを特徴とするものである。
【００１０】
これにより、便座ヒータの通常の通電制御と過昇防止手段の温度検知を１個の温度検知素子で実施することが可能となり、便座の構成のシンプル化と低コスト化を図ることができる。また、通電制御に使用する応答速度の速い温度検知素子を過昇防止手段に使用することにより、早い段階で異常温度上昇を検知することができ、上昇温度の低い段階で通電を遮断することが可能となり、安全性と信頼性を向上することができる。
【発明の効果】
【００１１】
本発明の便座装置は、便座の過昇を防止する過昇防止手段の応答速度と温度検知精度を向上することにより、安全性を向上することができる。
【図面の簡単な説明】
【００１２】
【図１】本発明の実施の形態１における便座装置を便器上に設置した状態の外観を示す斜視図
【図２】本発明の実施の形態１における便座の外観を示す斜視図
【図３】本発明の実施の形態１における便座の分解斜視図
【図４】本発明の実施の形態１における便座の上部便座ケーシングに便座ヒータを取り付けた状態を示す下面図
【図５】本発明の実施の形態１における便座ヒータの下面図
【図６】図４に示すＡ部の詳細を示す下面図
【図７】図６に示すＢＢ断面図
【図８】固定金具の外観を示す斜視図
【図９】（ａ）は固定金具が正規に取り付けられた状態を示す平面図、（ｂ）は固定金具が不正規に取り付けられた状態を示す平面図
【図１０】（ａ）は固定金具の取り付け過程を示す断面図、（ｂ）は固定金具の取り付け完成状態を示す断面図
【図１１】本発明の実施の形態１における便座装置の制御系の構成を示すブロック図
【図１２】従来の便座装置の発熱体ユニットの平面図
【発明を実施するための形態】
【００１３】
第１の発明は、便器上に設置される本体と、前記本体に回動自在に枢支された便座と、前記便座に内蔵され、前記便座を加熱する便座ヒータと、前記便座の温度を検知する第一温度検知素子と、前記便座ヒータの通電を制御する主制御部と、前記主制御部とは別回路で構成され、前記便座の過昇を防止する第一過昇防止制御部と、を含み、前記主制御部と前記第一過昇防止制御部は、前記第一温度検知素子を共用し、前記主制御部は、前記第一温度検知素子の検知信号に基づき前記便座を所定温度に制御し、前記第一過昇防止制御部は、前記第一温度検知素子の検知信号に基づき過昇防止の制御を行うことを特徴とする便座装置である。
【００１４】
これにより、便座ヒータの通常の通電制御と過昇防止手段の温度検知を１個の温度検知素子で実施することが可能となり、便座の構成のシンプル化と低コスト化を図ることができる。また、通電制御に使用する応答速度の速い温度検知素子を過昇防止手段に使用することにより、早い段階で異常温度上昇を検知することができ、上昇温度の低い段階で通電
を遮断することが可能となり、安全性と信頼性を向上することができる。
【００１５】
第２の発明は、特に第１の発明において、前記第一温度検知素子は、前記便座ヒータの着座暖房範囲に設置されているものである。
【００１６】
これにより、便座ヒータに、線状ヒータを特殊な形状で配設して形成する領域、例えば密領域等を形成する必要がなく、便座ヒータの構成を簡素化することが可能となり、便座ヒータのシンプル化と低コスト化を図ることができる。
【００１７】
第３の発明は、特に第１または第２の発明において、前記便座は、第二温度検知素子と、第二過昇防止制御部と、をさらに備え、前記第二温度検知素子は前記第二過昇防止制御部が専用で使用する構成としたものである。
【００１８】
これにより、第一温度検知素子および第一過昇防止制御部に異常が発生した場合でも、第二温度検知素子と第二過昇防止制御部とでバックアップすることが可能となり、安全性と信頼性を更に向上することができる。
【００１９】
第４の発明は、特に第３の発明において、前記第一温度検知素子と前記第二温度検知素子は、前記便座の略左右対称の着座暖房範囲に設置されたものである。
【００２０】
これにより、便座の片側にのみ着座する等の異常な使用状態によって、便座が異常温度上昇した場合においても、他方の温度検知素子の検知情報により的確に通電を遮断することが可能となり、安全性と信頼性を更に向上することができる。
【００２１】
以下、本発明の実施の形態について、図面を参照しながら説明する。なお、この実施の形態によって本発明が限定されるものではない。
【００２２】
（実施の形態１）
＜１＞便座装置の構成
図１は本実施の形態における便座装置を便器上に設置した状態の外観の斜視図を示すものである。
【００２３】
図１に示すように、便座装置１００は、本体２００、便蓋３００、便座４００、リモートコントローラ５００により構成され、本体２００、便蓋３００、便座４００は一体で構成され、便器１１０の上面に設置される。
【００２４】
本体２００には、便蓋３００および便座４００が電動の便座便蓋回動機構を介して開閉可能に取り付けられている。図１に示すように便蓋３００を開放した状態においては、便蓋３００は便座装置１００の最後部に位置するように起立する。また、便蓋３００を閉塞すると便座４００の上面を隠蔽する。便座４００は便座ヒータ４５０を内蔵しており、便座４００の着座面が快適な温度になるように加熱する。
【００２５】
また、便座４００の回動軸を支持する軸受部分には便座４００に着座した人体を検知する着座検知スイッチ（図示せず）が設置されている。この着座検知スイッチは、便座４００に使用者が着座することによる重量変化でスイッチを開閉させることにより、便座４００上に使用者が着座していることを検知するものである。
【００２６】
また図１に示すように、本体２００の側部には突出部２１０が設けてあり、突出部２１０の上面には複数の操作スイッチ２１２を備えた操作部２１１が設けられている。
【００２７】
リモートコントローラ５００には、便座装置の各機能の操作と設定を行う複数の操作スイッチ５０１と、トイレルームに入室した使用者を検知する人体検知センサ５０２が設けられている。リモートコントローラ５００は便座４００に着座した使用者が操作可能なトイレ室の壁面等の場所に取り付けられ、操作信号は無線を介して本体２００に送信される。
【００２８】
なお、本実施の形態においては便座装置の本体２００の設置側を後方、便座４００の設置側を前方とし、後方より前方に向かって右側を右方、左側を左方として各構成要素の配置を説明する。
【００２９】
本体２００の内部には、使用者の局部を洗浄する洗浄手段（図示せず）と、洗浄後の局部を乾燥する乾燥装置（図示せず）と、便器１１０内の臭気を脱臭する脱臭装置（図示せず）と便蓋３００と便座４００を電動で回動する便座便蓋回動機構（図示せず）と、便座装置１００制御する制御部６００等が設置されている。
【００３０】
洗浄手段は洗浄水供給機構とノズル装置で構成されており、水道配管から供給される洗浄水を洗浄水供給機構の熱交換器で加熱した温水をノズル装置に供給し、ノズル装置から使用者の局部に向けて温水を噴出し、使用者の局部を洗浄するものである。
【００３１】
ノズル装置は、お尻を洗浄するお尻洗浄ノズル部と女性の局部を洗浄するビデノズル部を有する洗浄ノズルと、洗浄ノズルを本体２００内に収容した収納位置と本体から突出して洗浄動作を行う洗浄位置との間を進退移動する駆動手段（図示せず）と、熱交換器からの洗浄水を洗浄ノズルに切換えて供給する流調弁（図示せず）等が一体に組み込まれている。
【００３２】
乾燥装置の噴出口は、本体２００の前面下部に配置されており、噴出口の前方には、開閉自在の乾燥シャッターが設置されており、乾燥装置不使用時は閉塞して乾燥装置の内部へ洗浄水等が侵入することを防止し、乾燥装置の駆動時には、乾燥装置から噴出される風圧により開放される構成となっている。乾燥装置の詳細な構成は後述する。
【００３３】
制御部６００は、便座装置１００の各機能の操作を行うリモートコントローラ５００の操作スイッチ５０１と本体２００の操作スイッチ２１２および着座検知スイッチ（図示せず）から送信される信号に基づいて、便座装置１００の各部の動作を制御する。
【００３４】
本発明の便座装置１００はトイレ室に使用者が存在しない場合は、便座ヒータへの通電を停止、もしくは２０℃程度の低温に保温している。トイレ室に使用者が入室すると、人体検知センサ５０２からの信号を受け、便座ヒータに通電を行う。便座ヒータは８００Ｗ程度の非常に高出力のヒータであり、使用者がトイレ室に入室してから便座に着座するまでの６秒から１０秒程度の間に、便座４００の着座面を４０℃程度の適温に温める。便座４００が適温に達した後は、便座ヒータへの通電を５０Ｗ程度の低ワットに下げ、適温を保つ。使用者がトイレルーム内から出ると、便座ヒータへの通電を停止、もしくは２０℃程度の低温保温となる。つまり、トイレルームに使用者がいないときの電力を大幅に削減した便座装置である。
【００３５】
なお、洗浄機構と乾燥装置と脱臭装置と便座便蓋回動機構は便座装置の必須構成要素ではなく、これらの構成要素を具備しない便座装置でもよい。
【００３６】
＜２＞便座の構成
図２は便座４００の組立状態の斜視図を示し、図３は便座４００の分解斜視図を示し、図４は便座の上部便座ケーシングに便座ヒータ等の部材を取り付けた状態を示す下面図で
ある。
【００３７】
図２および図３に示すように、便座４００は、主としてアルミニウムにより形成された略楕円形状の環状の上部便座ケーシング４１０と、合成樹脂により形成された略楕円形状の環状の下部便座ケーシング４２０と、上部便座ケーシング４１０の裏面に粘着した略馬蹄形状の便座ヒータ４５０を主構成部品として構成されている。
【００３８】
以下、着座した使用者から見て前方側を便座４００の前部とし、着座した使用者から見て後方側を便座４００の後部とする。
【００３９】
上部便座ケーシング４１０は、厚さ約１ｍｍのアルミニウム板をプレス加工等により成形し、表面および裏面には絶縁性と耐熱性を有するポリエステル粉体塗装膜が形成されている。ピンホールの生じにくい粉体塗装を採用することで、絶縁性能を向上することができる。
【００４０】
上部便座ケーシング４１０は略楕円形の環状の着座面４１１と、着座面４１１の後部には着座面４１１より上方に立ち上がったバックガード部４１２が連続して形成されている。着座面４１１は内周部より外周部が高い傾斜を有する上方に凸の曲面を成している。
【００４１】
バックガード部４１２と着座面４１１と連続的な凹曲面で繋がっており、上部は傾斜面となっている。バックガード部４１２の上縁４１２ａは水平線に近い大きな曲線となっており、バックガード部４１２の幅は着座面４１１の横幅と略同寸法となっている。バックガード部４１２は着座面４１１に着座した使用者の後方への移動を規制することにより、使用者の身体が本体に接触することにより不快を感じることを抑制することができる。
【００４２】
上部便座ケーシング４１０の内周縁４１５と外周縁４１６は内方に向かって折れ曲がって形成されており、内周縁４１５と外周縁４１６の複数箇所には、上部便座ケーシング４１０と下部便座ケーシング４２０を係合する複数の係合孔４１８が形成されている。
【００４３】
図４に示すように、上部便座ケーシング４１０の裏面のほぼ全面には前部の一部が切り取られた略馬蹄状に形成された便座ヒータ４５０が粘着固定されている。便座ヒータ４５０の側部表面には、便座ヒータ４５０を便座４００の着座面４１１の温度を検知する第一サーミスタ４０１と第二サーミスタ４０２が設置されている。また、上部便座ケーシング４１０の外周部には安全性を確保するアース線４７３が接続してある。なお、サーミスタの取り付け構造の詳細は後述する。
【００４４】
下部便座ケーシング４２０は樹脂材料を使用した成型品であり、平面形状が上部便座ケーシング４１０と略同形状の本体部４２１と、本体部４２１の両側後方に斜め上方に突出した腕部４２２で構成されている。
【００４５】
下部便座ケーシング４２０の内周縁４２５と外周縁４２６には、上部便座ケーシング４１０と下部便座ケーシング４２０を係合する複数の係合爪４２８が形成されている。
【００４６】
上部便座ケーシング４１０と下部便座ケーシング４２０とは、下部便座ケーシング４２０に形成された係合爪４２８が上部便座ケーシング４１０に形成された係合孔４１８に係合することにより結合され、内部に空洞部が形成される構成となっており、結合部には水密手段が施されている。
【００４７】
なお、上記のように、上部便座ケーシング４１０はアルミニウム板を使用して形成したが、これに限るものではなく、銅やステンレス等の板材あるいはマグネシウム合金の成型
品等の熱伝導の良い他の金属あるいは樹脂材料を使用してもよい。また、アルミニウム板に施される表面処理は上記仕様に限定されるものではなく、他の化学的な処理やアクリル系やウレタン系の塗料を使用した他の塗装等も選択可能である。
【００４８】
＜３＞便座ヒータの構成
図５は便座ヒータの下面図を示すものである。
【００４９】
図５に示すように、便座ヒータ４５０は、前部の一部が切り取られた略馬蹄状に形成されている。便座ヒータ４５０の基本構成は、アルミニウムからなる２枚のアルミシート４５１の間に線状ヒータ４６０を蛇行形状に配設したものである。
【００５０】
アルミシート４５１の後部右側には端子部４５２が設置されており、線状ヒータ４６０の始端は端子部４５２の始端部（図示せず）に接続されており、始端部より延伸された線状ヒータ４６０はアルミシート４５１の右側領域４５１ａを主に左右に蛇行しながら右前端部まで配設され、前端部よりアルミシート４５１の主に内周に沿ってアルミシート４５１の後部と左側を経由してアルミシートの左側領域４５１ｂの左前端部まで到達し、左前端部よりアルミシート４５１に左側領域４５１ｂを主に左右に蛇行しながら後部左側まで配設されている。後部左側よりアルミシート４５１の後部領域４５１ｃを左右に蛇行しながら後部右側まで配設され、線状ヒータ４６０の終端は端子部４５２の終端部に接続されることにより、線状ヒータ４６０は始端部から終端部まで連続して配設されている。
【００５１】
線状ヒータ４６０を蛇行させて配設した右側領域４５１ａと左側領域４５１ｂと後部領域４５１ｃは、便座４００に使用者が着座した状態で快適な暖房効果を得られる着座暖房範囲４５６を形成している。着座暖房範囲４５６は、線状ヒータ４６０が近似のピッチで配設されており、使用者が着座した状態でほぼ同一の温感を得られるように構成されている。
【００５２】
端子部４５２には便座ヒータ４５０に電力を供給する２本の電力リード線４７０、４７１と、線状ヒータ４６０とアルミシート４５１間の漏電を検知する検知リード線４７２が接続されている。電力リード線４７０は端子部４５２の始端部に接続されており、電力リード線４７１は端子部４５２の終端部に接続されている。また、検知リード線４７２はアルミシート４５１に接続されている。
【００５３】
また、電力リード線４７１の途中には温度ヒューズ４５４が接続されており、温度ヒューズ４５４は便座ヒータ４５０の後部領域４５１ｃの略中央に設置される。
【００５４】
＜４＞サーミスタの取り付け構造
図４は便座の上部便座ケーシングに便座ヒータ等の部材を取り付けた状態を示す下面図であり、図６は図４のＡ部で示す第一サーミスタの取り付けの詳細を示したものであり、図７は図６に示すＢＢ断面図を示したものであり、図８は固定金具の外観を示す斜視図であり、図９（ａ）は固定金具が正規に取り付けられた状態を示す平面図であり、（ｂ）は固定金具が不正規に取り付けられた状態を示す平面図であり、図１０（ａ）は固定金具の取り付け過程を示す断面図であり、（ｂ）は固定金具の取り付け完成状態を示す断面図である。
【００５５】
図４に示すように、第一サーミスタ４０１と第二サーミスタ４０２サーミスタは上部便座ケーシング４１０の裏面に貼着された便座ヒータ４５０のアルミシート４５１表面の略左右対称位置となる側部に設置されている。便座ヒータ４５０の線状ヒータ４６０が略平行に配設された間のスペースであるアルミシート４５１の表面に、線状ヒータ４６０と重合しないように第一サーミスタ４０１と第二サーミスタ４０２サーミスタが配置されてい
る。
【００５６】
図６および図７に示すように、アルミニウムシートの片面に粘着剤を塗布した粘着部材４０３で第一サーミスタ４０１の感熱部４０１ａを覆うようにして粘着固定されている。そして粘着部材４０３の上に発泡ポリエチレン製の断熱材４０７を積層し、その上から上部便座ケーシング４１０の外周縁４１６に螺子４０８で固定された固定金具４０５で押し付けて固定されている。図６および図７は第一サーミスタ４０１の取り付け状態を示すものであるが、第二サーミスタ４０２も左右対称で同様に取り付けられている。
【００５７】
図８に示すように、固定金具４０５は、厚さ０．２ｍｍのバネ性を有する略長方形のステンレス板の両端部を折り曲げて略コの字型に形成されたものである。一方の折り曲げ部には、上部便座ケーシング４１０の外周縁４１６に固定する固定部４０５ａが形成されており、固定部４０５ａの中央には、螺子４０８で固定するための貫通孔を備えた螺子止部４０５ｂ形成されている。また、固定部４０５ａの両端部には切起して形成された２個のストッパ４０５ｃが形成されている。
【００５８】
図９（ａ）に示すように、一方のストッパ４０５ｃを外周縁４１６に当接させることにより、固定金具４０５の正規の位置に設置することができる構成となっており、他方のストッパ４０５ｃを当接させた場合は、図７（ｂ）に示すように固定金具４０５の取り付け位置が大きくずれるようになっている。また、同じ形状の固定金具４０５を上部便座ケーシング４１０の反対側の外周縁４１６に固定する場合は、反対側のストッパ４０５ｃを当接させることにより、固定金具を正規の位置に取り付けることができ、１つの形状の固定金具４０５を異なる形状の２か所で共通に使用することができる。
【００５９】
また、他方の折り曲げ部には、上部便座ケーシング４１０の内周縁４１５の内面に係止することにより固定金具４０５を固定することができる係止部４０５ｄが形成されている。係止部４０５ｄは先端部を曲げ戻すことにより、先端が局面に形成されている。
【００６０】
図１０（ａ）に示すように、固定金具４０５は係止部４０５ｄを浮かした状態で、固定部４０５ａの螺子止部４０５ｂを螺子４０８で固定し、その後、矢印Ｃで示すように係止部４０５ｄの近傍を押し込むことにより、図８（ｂ）に示すように係止部４０５ｄを内周縁４１５の内面に係止させることができる。
【００６１】
第一サーミスタ４０１の感熱部４０１ａを覆った粘着部材４０３は、断熱材４０７が直接接触して押止されており、断熱材４０７の断熱性機能により便座ヒータ４５０の熱が固定金具４０５に伝達されることを抑制し、第一サーミスタ４０１および第二サーミスタ４０２の感熱部の温度上昇が遅延することを防止する構成となっている。また断熱材４０７は軟質材料で形成されているため、粘着部材４０３や便座ヒータ４５０のアルミシート４５１を傷つけることを抑制する効果を備えている。
【００６２】
上記構成の第一サーミスタ４０１および第二サーミスタ４０２を取り付ける作業は、まず、第一サーミスタ４０１および第二サーミスタ４０２をアルミシート４５１の所定位置に配置し、第一サーミスタ４０１および第二サーミスタ４０２の感熱部の上から粘着部材４０３で覆い仮固定を行う。このとき、感熱部４０１ａは両側の線状ヒータ４６０の中央に設置することが重要であり、仮固定後の位置は粘着部材４０３の上から目視で確認することができる。次に、断熱材４０７を粘着部材４０３の上に積層する。
【００６３】
次に、固定金具４０５の固定部４０５ａを外周縁４１６の下側に差し込み、螺子止部４０５ｂを螺子４０８で上部便座ケーシング４１０の外周縁４１６に固定する。なお、固定金具４０５は図７（ａ）に示すように、一方のストッパ４０５ｃを外周縁４１６に当接さ
せて正規の位置に固定させる。
【００６４】
次に、図８（ａ）に示すように、係止部４０５ｄの近傍を矢印Ｃで示す方向に押し込むことにより、係止部４０５ｄを内周縁４１５の内面に係止させることができ、第一サーミスタ４０１および第二サーミスタ４０２の取り付けが完了する。
【００６５】
上記ように、第一サーミスタ４０１を、粘着部材４０３と断熱材４０７と固定金具４０５を介して固定することにより、例えば、粘着部材４０３による第一サーミスタ４０１の取り付け状態が不十分な場合でも、断熱材４０７と固定金具４０５により第一サーミスタ４０１を確実に押圧固定することができ、作業不良および経年変化による第一サーミスタ４０１の脱落を確実に防止することができる。
【００６６】
＜５＞便座装置の制御系の構成
図１１は便座装置１００の便座ヒータの駆動を主とする制御系の構成を示すブロック図である。
【００６７】
便座４００内部には、便座４００を加熱する便座ヒータ４５０と、便座の温度を検知する第一サーミスタ４０１および第二サーミスタ４０２と、便座の過昇を防止する過昇防止手段として温度ヒューズ４５４が設置されている。
【００６８】
本体２００内部には、リモートコントローラ５００と本体２００の操作部２１１からの操作信号と、第一サーミスタ４０１の温度検知信号に基づいて便座ヒータ４５０を制御するマイクロコンピュータを備えた主制御部６０１と、主制御部６０１の制御信号に基づいて便座ヒータ４５０を駆動するトライアックを主構成部材とするヒータ駆動部６１０を備えている。
【００６９】
また、便座４００の過昇防止手段として、第一サーミスタ４０１の温度検知信号に基づいて便座の過昇防止の制御を行う第一過昇防止制御部６０２と、第二サーミスタの温度検知信号に基づいて便座の過昇防止の制御を行う第二過昇防止制御部６０３と、第一過昇防止制御部６０２および第二過昇防止制御部６０３の制御信号に基づき便座装置１００の電源を遮断するリレーを主構成部材とする電源遮断部６２０を備えている。
【００７０】
主制御部６０１は第一サーミスタ４０１の温度検知信号を受信し、リモートコントローラ５００と本体２００の操作部２１１から送信される操作信号および設定信号と、リモートコントローラ５００の人体検知センサ５０２と着座検知スイッチの検知信号等のデータをマイクロコンピュータで演算することにより、便座４００を所定温度に制御する機能を備えたものであり、主制御部６０１が制御する便座の最高温度は４３℃に設定されている。
【００７１】
一方、第一過昇防止制御部６０２および第二過昇防止制御部６０３は、主制御部６０１とは分離された別回路で構成され、また、第一過昇防止制御部６０２および第二過昇防止制御部６０３もそれぞれ分離された別回路で構成されている。このような構成を採用することにより、主制御部６０１と、第一過昇防止制御部６０２と、第二過昇防止制御部６０３はそれぞれ他の制御機能に影響されずに単独で機能を発揮することができる構成となっている。
【００７２】
第一過昇防止制御部６０２と第一サーミスタ４０１は接続されており、第一サーミスタ４０１の温度検知情報に基づき電源遮断部６２０を駆動して電源を遮断する。第一過昇防止制御部６０２は便座の温度が４５℃に上昇した時点で電源を遮断するように設定されている。
【００７３】
また、第二過昇防止制御部６０３は第二サーミスタ４０２と接続されており、第二サーミスタ４０２の温度検知情報に基づき電源遮断部６２０を駆動して電源を遮断する。第二過昇防止制御部６０３は便座の温度が４６℃に上昇した時点で電源を遮断するように設定されている。
【００７４】
上記のように、第一過昇防止制御部６０２の設定温度より、第二過昇防止制御部６０３の設定温度を高く設定されているのは、第一サーミスタ４０１と第二サーミスタ４０２の温度特性のバラツキを考慮したものである。このような構成を採用することにより。第一サーミスタ４０１と主制御部６０１による温度制御機能と第一サーミスタ４０１と第一過昇防止制御部６０２による過昇防止機能が正常な状態において、第二サーミスタ４０２と第二過昇防止制御部６０３による過昇防止機能が作動することにより、正常状態の便座装置１００の通電が不用意に遮断される誤作動を防止することができる。
【００７５】
上記構成によれば、例えば、主制御部６０１に異常が発生し、便座ヒータ４５０の通電制御適切に行われず、便座４００の温度が上昇を続けた場合でも、第一過昇防止制御部６０２の機能により電源を遮断することにより、便座が４５℃以上になることを防止することができる。また、第一過昇防止制御部６０２に異常が発生した場合でも、第二過昇防止制御部６０３の機能により電源を遮断することにより、便座が４６℃以上になることを防止することができる。
【００７６】
また、便座ヒータ４５０の後部には温度ヒューズ４５４が別途設置されており、第一過昇防止制御部６０２または第二過昇防止制御部６０３に異常が発生した場合には、第三の過昇防止手段として便座ヒータ４５０への通電を遮断する機能を備えている。このように本実施の形態の便座装置１００は３段階の過昇防止手段備えている。
【００７７】
上記のように、本実施の形態における便座装置は、便座の過昇防止手段の温度検知素子として応答速度の速いサーミスタを採用したことにより、便座装置に異常が発生して異常温度上昇が発生した場合、早い段階で異常温度上昇を検知することができ、上昇温度の低い段階で通電を遮断することが可能となり、安全性と信頼性が極めて高いものである。
【００７８】
また、熱容量の低いサーミスタを温度検知素子として採用することにより、従来の熱容量の大きいサーモスタットを温度検知素子として使用する場合に必須な構成であったヒータ線を高密度に配設した密領域を形成する必要性がなく、サーミスタをヒータ線が通常の密度で配設された暖房領域に設置することが可能となり、便座ヒータの構成のシンプル化と低コスト化が図れるとともに、密領域を設けることにより便座の着座面の一部が高温になる不本意な高温域の発生を抑制することができ、着座面全体を快適な温度に加熱することができる。
【００７９】
また、同一のサーミスタを便座ヒータの通常の通電制御と、過昇防止手段の温度検知の両方で共用したことにより、便座に設置するサーミスタの数を減らすことが可能となり、便座の構成のシンプル化と低コスト化が図れる。
【００８０】
また、便座ヒータの通常の通電制御を行う主制御部と、過昇防止手段を制御する過昇防止制御部を別構成で構成し、しかも、複数のサーミスタに対して専用の過昇防止制御部を個々に構成したことにより、過昇防止手段の安全性と信頼性をより向上することができる。
【００８１】
なお本実施の形態においては、温度検知素子としてサーミスタを使用したがこれに限るものではなく、白銀測温抵抗体や熱電対等の他の温度検知素子を使用しても良い。使用す
る温度検知素子としては検知精度が高く、応答速度の速いものが望ましい。
【産業上の利用可能性】
【００８２】
以上のように、本発明にかかる便座装置は、過昇防止手段の精度と安全性と信頼性向上することが可能となるので、他の加熱機器等の用途にも適用できる。
【符号の説明】
【００８３】
１００  便座装置
１１０  便器
２００  本体
４００  便座
４０１  第一サーミスタ（第一温度検知素子）
４０２  第二サーミスタ（第二温度検知素子）
４５０  便座ヒータ
４５６  着座暖房範囲
６０１  主制御部
６０２  第一過昇防止制御部
６０３  第二過昇防止制御部
【図１】
0006347048.tif 000002
【図２】
0006347048.tif 000003
【図３】
0006347048.tif 000004
【図４】
0006347048.tif 000005
【図５】
0006347048.tif 000006
【図６】
0006347048.tif 000007
【図７】
0006347048.tif 000008
【図８】
0006347048.tif 000009
【図９】
0006347048.tif 000010
【図１０】
0006347048.tif 000011
【図１１】
0006347048.tif 000012
【図１２】
0006347048.tif 000013